(57)【要約】      （修正有）【課題】医療用廃棄物を収納する医療用廃棄物収納袋を提供する。【解決手段】表面シート１０は、第一の延出部１０ａを有する。中シート１１は、表面シートの第一の延出部に対応する第二の延出部１１ａを有し、表面シートの第一の延出部が表面シートの上端に沿って内側に折り曲げられた状態で、下端両側のそれぞれから第二の延出部の両側端のそれぞれまでの左右の曲端１１ｂ、１１ｃを、表面シートの上端両側のそれぞれから第一の延出部の両側端のそれぞれまでの左右の曲端１０ｂ、１０ｃに融着することで、開口部Ｏを形成する。裏面シート１２は、中シートを内側にして、両側端から下端までの周端１２ａを、表面シートの両側端から下端までの周端１０ｄに融着することで、袋体を形成する。蓋シート１３は、両側端から上端までの周端１３ａを、裏面シートの両側端から上端までの周端１２ｂに融着するとともに、左右に沿った中央線を、中シートの上端に融着することで、蓋部Ｌを形成する。【選択図】図１
0003229069.tif 000002
【実用新案登録請求の範囲】
【請求項１】
上端中央から延出された第一の延出部を有する表面シートと、
下端中央から延出され、前記表面シートの第一の延出部に対応する第二の延出部を有し、前記表面シートの第一の延出部が前記表面シートの上端に沿って内側に折り曲げられた状態で、下端両側のそれぞれから前記第二の延出部の両側端のそれぞれまでの左右の第一の曲端を、前記表面シートの上端両側のそれぞれから前記第一の延出部の両側端のそれぞれまでの左右の第二の曲端に融着することで、前記第一の延出部の下端と前記第二の延出部の下端との間に開口部を形成する中シートと、
前記中シートを内側にして、両側端から下端までの第一の周端を、前記表面シートの両側端から下端までの第二の周端に融着することで、袋体を形成する裏面シートと、
両側端から上端までの第三の周端を、前記裏面シートの両側端から上端までの第四の周端に融着するとともに、左右に沿った中央線を、前記中シートの上端に融着することで、蓋部を形成する蓋シートと、
前記表面シートの表面の上方近傍に設けられた第一の着脱部と、
前記蓋シートの裏面の下方近傍に設けられ、前記第一の着脱部と着脱する第二の着脱部と、
前記裏面シートの上方近傍と前記蓋シートの上方近傍とを貫通して設けられる指掛穴と、
を備える医療用廃棄物収納袋。
【考案の詳細な説明】
【技術分野】
【０００１】
本考案は、プレフィルドシリンジ製剤、オートインジェクター製剤等の医療用廃棄物を収容する医療用廃棄物収納袋に関する。
【背景技術】
【０００２】
気管支喘息に対する凍結乾燥製剤、糖尿病患者のインスリン製剤、リュウマチ治療薬は、通常、プレフィルドシリンジ製剤、オートインジェクター製剤と呼ばれる使い捨て注射器の医療用廃棄物によって患者に供給されるが、この医療用廃棄物は、使用後に安全に収納され、医療機関に回収される必要がある。
【０００３】
医療用廃棄物に関する技術として、例えば、実用新案登録第３２０５１５６号公報（特許文献１）には、柔軟な合成樹脂製シートである裏面シートと表面シートを重ね合わせて周縁を溶着する医療用廃棄物収納袋が開示されている。この医療用廃棄物収納袋は、平面である裏面シートに対し、表面シートは途中で裏面シート側に基方へ折り返し、該基方への折り返しに続けて先方へ折り返すことによってマチを形成し、該マチの先方への折り返し部分に医療用廃棄物を通過させることができる大きさの貫通孔を設けたことを特徴とする。これにより、柔軟な合成樹脂製袋のマチの解放部から狭小部であるマチの折り返し部分に形成される貫通孔から袋内に医療用廃棄物を投入するため、投入時はマチの傾斜に沿って円滑に投入することができ、折り返し部分の自然な折曲動作によって、折り返し部分に形成された貫通孔が常時狭められることになり、一旦投入された医療用廃棄物は、袋内に閉じ込められ容易に飛び出すことがないとしている。
【０００４】
又、実用新案登録第３２１２０６４号公報（特許文献２）には、合成樹脂製の表面シートと、表面シートよりも長手方向に長い、合成樹脂製の裏面シートと、表面シートの下端を裏面シートの下端に対応させ、表面シートを裏面シートに重ね合わせて、表面シートの上端と裏面シートとの間に形成される開口部と、を備える医療用廃棄物収納袋が開示されている。この医療用廃棄物収納袋は、裏面シートの上端から開口部を介し開口部の下方の所定の位置まで表面シートと裏面シートとの間に挿入された、合成樹脂製の中シートと、表面シート側の開口部の内面に設けられた第一のファスナーと、中シート側に設けられた、第一のファスナーと着脱する第二のファスナーと、開口部以外で、中シートの右端と左端とを含み、表面シートと裏面シートとの周縁を溶着している周縁融着部と、を備える。又、この医療用廃棄物収納袋は、開口部の下方で、表面シートと中シートと裏面シートとを重ね合わせて溶着し、開口部から内部に向かって狭くなるハの字状である開口部融着部と、表面シート側の開口部の外面に設けられ、第一の指掛け穴を有する引き部と、裏面シートと中シートとの上方の部分で構成され、第二の指掛け穴を有する掛け部と、を備える。これにより、医療用廃棄物を容易に内部に入れることが出来るとともに、入れた医療用廃棄物の外部への飛び出しを確実に防止することが可能となるとしている。
【０００５】
又、実用新案登録第３２１２７４６号公報（特許文献３）には、四角形状である表面シートと、表面シートに対応する四角形状であり、表面シートに重ね合され、周端を溶着することで、袋を形成する裏面シートと、を備える医療用廃棄物収納袋が開示されている。この医療用廃棄物収納袋は、袋の中央付近で、袋の左右方向に沿って線状に設けられる第一の折り目線と、第一の折り目線と袋の上側の端部との中間で、袋の左右方向に沿って線状に設けられる第二の折り目線と、表面シートの左右のいずれか一方の付近で、表面シートの第二の折り目線に対して直角に長尺の楕円状に設けられ、中心が第二の折り目線上にある挿入穴と、を備える。又、医療用廃棄物収納袋は、挿入穴の上下端部のそれぞれから、第二の折り目線上で、且つ、第二の折り目線の左右方向の中心付近まで線状に設けられ、くの字状を形成する第一の立体形成線と、挿入穴の上下端部のそれぞれから、第二の折り目線上まで、第一の立体形成線の傾斜よりも急な傾斜で線状に設けられ、くの字状を形成する第二の立体形成線と、を備える。これにより、手指が不自由な患者であっても医療用廃棄物を袋に容易に横入れすることが出来るとともに、入れた医療用廃棄物の外部への飛び出しを確実に防止することが可能となるとしている。
【０００６】
又、実用新案登録第３２１９０２５号公報（特許文献４）には、細長形状の表面シートと、表面シートの細長形状の長手方向のサイズよりも長いサイズの細長形状であり、余剰部分を有し、当該余剰部分以外の部分に表面シートを重ね合わせ、重ね合わされた表面シートと余剰部分以外の部分との周端を溶着することで、袋を形成する裏面シートと、袋の開口部を形成する表面シートの端部から延出されるフラップと、長手方向が裏面シートの細長形状の短手方向に沿った細長形状であり、裏面シートの余剰部分の裏面に設けられる第一のファスナーと、長手方向が表面シートの細長形状の長手方向に沿った細長形状であり、表面シートの表面に設けられる第二のファスナーと、を備える医療用廃棄物収納袋が開示されている。この医療用廃棄物収納袋は、フラップを用いて袋の開口部を開いて、医療用廃棄物を袋に押し込み、裏面シートの余剰部分を袋の蓋部にして表面シートの表面に折り返し、第一のファスナーと第二のファスナーとで十字を形成するように、第一のファスナーを第二のファスナーに付着させることで、袋の開口部を閉じる。これにより、構成が簡単で、且つ、手指が不自由な患者であっても袋を確実に閉止することが可能となるとしている。
【０００７】
又、実用新案登録第３２２００４０号公報（特許文献５）には、柔軟な合成樹脂製シートである裏面シートと表面シートを重ね合わせて周縁を溶着し、底部分にマチ部を有して内部を収納領域とするシート型収納袋が開示されている。このシート型収納袋は、収納領域に挿入路を介して通じる開口部と、開口部から挿入路にかけて側方から窪ませたくびれ部を有する。これにより、くびれ部により表面シート及び裏面シートからなる袋体の側縁に余裕を設け、内部に収納領域と挿入路を形成することができ、開口部の開放による袋体の変形にくびれ部の変形を追従させて側縁の突っ張りを防止して、開口部を安定して広く開放することができるとしている。
【先行技術文献】
【特許文献】
【０００８】
【特許文献１】実用新案登録第３２０５１５６号公報
【特許文献２】実用新案登録第３２１２０６４号公報
【特許文献３】実用新案登録第３２１２７４６号公報
【特許文献４】実用新案登録第３２１９０２５号公報
【特許文献５】実用新案登録第３２２００４０号公報
【考案の概要】
【考案が解決しようとする課題】
【０００９】
しかしながら、上述した特許文献１−５に記載の技術では、構成が複雑であったり、部品点数が多かったりするという課題がある。
【００１０】
一方、医療用廃棄物収納袋には、より簡単な構成で、且つ、医療用廃棄物を簡単に入れることが出来るとともに、一度入れた医療用廃棄物が外に飛び出ない構成が求められている。
【００１１】
そこで、本考案は、課題を解決するためになされたものであり、構成が簡単で、且つ、一度入れた医療用廃棄物の飛び出しを確実に防止することが可能な医療用廃棄物収納袋を提供することを目的とする。
【課題を解決するための手段】
【００１２】
本考案者は、鋭意研究を重ねた結果、本考案に係る新規な医療用廃棄物収納袋を完成させた。即ち、本考案に係る医療用廃棄物収納袋は、表面シートと、中シートと、裏面シートと、蓋シートと、第一の着脱部と、第二の着脱部と、指掛穴と、を備える。表面シートは、上端中央から延出された第一の延出部を有する。中シートは、下端中央から延出され、前記表面シートの第一の延出部に対応する第二の延出部を有し、前記表面シートの第一の延出部が前記表面シートの上端に沿って内側に折り曲げられた状態で、下端両側のそれぞれから前記第二の延出部の両側端のそれぞれまでの左右の第一の曲端を、前記表面シートの上端両側のそれぞれから前記第一の延出部の両側端のそれぞれまでの左右の第二の曲端に融着することで、前記第一の延出部の下端と前記第二の延出部の下端との間に開口部を形成する。裏面シートは、前記中シートを内側にして、両側端から下端までの第一の周端を、前記表面シートの両側端から下端までの第二の周端に融着することで、袋体を形成する。蓋シートは、両側端から上端までの第三の周端を、前記裏面シートの両側端から上端までの第四の周端に融着するとともに、左右に沿った中央線を、前記中シートの上端に融着することで、蓋部を形成する。第一の着脱部は、前記表面シートの表面の上方近傍に設けられる。第二の着脱部は、前記蓋シートの裏面の下方近傍に設けられ、前記第一の着脱部と着脱する。指掛穴は、前記裏面シートの上方近傍と前記蓋シートの上方近傍とを貫通して設けられる。
【考案の効果】
【００１３】
本考案によれば、構成が簡単で、且つ、一度入れた医療用廃棄物の飛び出しを確実に防止することが可能となる。
【図面の簡単な説明】
【００１４】
【図１】本考案の実施形態に係る医療用廃棄物収納袋の正面図と背面図とである。
【図２】本考案の実施形態に係る医療用廃棄物収納袋の右側面図と左側面図とＡ−Ａ線断面図と平面図と底面図とである。
【図３】本考案の実施形態に係る医療用廃棄物収納袋の製造方法を示す正面図である。
【図４】本考案の実施形態に係る医療用廃棄物収納袋の蓋部を開いた状態の斜視図である。
【図５】本考案の実施形態に係る医療用廃棄物収納袋の蓋部から開口部を見た状態の斜視図と、開口部を開いた状態のＡ−Ａ線断面図とである。
【図６】本考案の実施形態に係る医療用廃棄物収納袋の開口部に医療用廃棄物を入れる際の斜視図である。
【図７】本考案の実施形態に係る医療用廃棄物収納袋の開口部に医療用廃棄物を入れた状態の斜視図である。
【考案を実施するための形態】
【００１５】
以下に、添付図面を参照して、本考案の実施形態について説明し、本考案の理解に供する。尚、以下の実施形態は、本考案を具体化した一例であって、本考案の技術的範囲を限定する性格のものではない。
【００１６】
本考案は、図１〜図３に示すように、プレフィルドシリンジ製剤、オートインジェクター製剤等の医療用廃棄物を収容する医療用廃棄物収納袋１であって、表面シート１０と、中シート１１と、裏面シート１２と、蓋シート１３と、第一の着脱部１４と、第二の着脱部１５と、指掛穴１６と、を備える。
【００１７】
表面シート１０は、上端中央から延出された第一の延出部１０ａを有する。中シート１１は、下端中央から延出され、表面シート１０の第一の延出部１０ａに対応する第二の延出部１１ａを有し、表面シート１０の第一の延出部１０ａが表面シート１０の上端に沿って内側に折り曲げられた状態で、下端両側のそれぞれから第二の延出部１１ａの両側端のそれぞれまでの左右の第一の曲端１１ｂ、１１ｃを、表面シート１０の上端両側のそれぞれから第一の延出部１０ａの両側端のそれぞれまでの左右の第二の曲端１０ｂ、１０ｃに融着することで、第一の延出部１０ａの下端と第二の延出部１１ａの下端との間に開口部Ｏを形成する。
【００１８】
裏面シート１２は、中シート１１を内側にして、両側端から下端までの第一の周端１２ａを、表面シート１０の両側端から下端までの第二の周端１０ｄに融着することで、袋体Ｐを形成する。
【００１９】
蓋シート１３は、両側端から上端までの第三の周端１３ａを、裏面シート１２の両側端から上端までの第四の周端１２ｂに融着するとともに、左右に沿った中央線１３ｂを、中シート１１の上端１１ｄに融着することで、蓋部Ｌを形成する。
【００２０】
第一の着脱部１４は、表面シート１０の表面の上方近傍に設けられ、第二の着脱部１５は、蓋シート１３の裏面の下方近傍に設けられ、第一の着脱部と着脱する。指掛穴１６は、裏面シート１２の上方近傍と蓋シート１３の上方近傍とを貫通して設けられる。
【００２１】
これにより、構成が簡単で、且つ、一度入れた医療用廃棄物の飛び出しを確実に防止することが可能となる。即ち、図１〜図３に示すように、本考案に係る医療用廃棄物収納袋１では、シートの構成要素が少なくとも４つで良く、製造の加工が必要最小限に抑えられているため、構成を簡単にすることが出来る。従って、量産化には最適である。
【００２２】
次に、本考案に係る医療用廃棄物収納袋１の使用方法を説明すると、図４に示すように、先ず、患者が、蓋シート１３の蓋部Ｌを引いて、表面シート１０の第一の着脱部１４から蓋シート１３の第二の着脱部１５を脱離して、蓋部Ｌを開く。
【００２３】
すると、図５に示すように、蓋シート１３の中央線１３ｂが中シート１１の上端１１ｄと融着しているため、表面シート１０の第一の延出部１０ａと中シート１１の第二の延出部１１ａとが開かれる。
【００２４】
ここで、図６に示すように、患者は、使用済の医療用廃棄物２０を中シート１１の第二の延出部１１ａに沿って袋体Ｐに入れると、第二の延出部１１ａが開口部Ｏに沿って医療用廃棄物２０を袋体Ｐの内部に案内する。又、第一の延出部１０ａは、表面シート１０の上端に沿って折り曲げられていることから、医療用廃棄物２０が第一の延出部１０ａで引っ掛かることなく、第一の延出部１０ａにより開口部Ｏに沿って医療用廃棄物２０を円滑に袋体Ｐの内部に案内する。これにより、医療用廃棄物２０を袋体Ｐの内部に簡単に入れることが出来る。
【００２５】
そして、図７に示すように、患者が、医療用廃棄物２０を開口部Ｏに向かって押して、医療用廃棄物２０の全体を袋体Ｐの内部に入れる。ここで、開口部Ｏは、第一の延出部１０ａの下端と第二の延出部１１ａの下端とで形成されていることから、開口部Ｏ自体は、袋体Ｐの内部の表面シート１０と裏面シート１２との内面に沿って存在しない。つまり、医療用廃棄物２０が表面シート１０と裏面シート１２との内面に沿って移動したとしても、第一の延出部１０ａの下端と第二の延出部１１ａの下端とで形成された開口部Ｏは、袋体Ｐの空中に存在することになり、一度、医療用廃棄物２０が袋体Ｐの内部に入ると、医療用廃棄物２０が開口部Ｏに再度入ることは無い。従って、一度入れた医療用廃棄物の飛び出しを確実に防止することが出来るのである。患者は、再度、蓋シート１３の第二の着脱部１５を表面シート１０の第一の着脱部１４に付着させ、蓋部Ｌを閉じれば、医療用廃棄物２０の収納が完了する。
【００２６】
ここで、表面シート１０と中シート１１と裏面シート１２と蓋シート１３との材質に特に限定は無いが、例えば、合成樹脂製を挙げることが出来る。又、表面シート１０の形状に特に限定は無いが、例えば、図３に示すように、略正方形又は略長方形の上端中央に略長方形の第一の延出部１０ａが設けられた凸状の形状を挙げることが出来る。又、中シート１１の形状に特に限定は無いが、例えば、図３に示すように、横方向に長い略長方形の下端中央に略長方形の第二の延出部１１ａが設けられたＴ字状の形状を挙げることが出来る。
【００２７】
又、裏面シート１２の形状に特に限定は無いが、例えば、図３に示すように、表面シート１０と中シート１１とを融着した後の略正方形又は略長方形よりも大きな略正方形又は略長方形を挙げることが出来る。蓋シート１３の形状に特に限定は無いが、例えば、図３に示すように、裏面シート１２の上方近傍の形状に対応して、略正方形又は略長方形を挙げることが出来る。又、蓋シート１３の蓋部Ｌとなる部分では、図３に示すように、蓋シート１３の両側から下方に向かって聊か湾曲した略正方形又は略長方形を構成することで、蓋部Ｌの捲り易さを向上させることが出来る。
【００２８】
又、中シート１１に形成される第一の曲端１１ｂ、１１ｃと表面シート１０に形成される第二の曲端１０ｂ、１０ｃの構成に特に限定は無く、例えば、図３に示すように、くの字状の曲端でも良いし、円弧状の曲端でも構わない。尚、曲端とは、始点から終点までの曲がった端部を意味する。
【００２９】
又、裏面シート１２の第一の周端１２ａと表面シート１０の第二の周端１０ｄとの構成に特に限定は無く、例えば、図３に示すように、角部を円弧にしたコの字状の周端でも良いし、角部を円弧にしないコの字状の周端でも良い。尚、周端とは、始点から終点までの周囲を囲む端部を意味する。又、蓋シート１３の第三の周端１３ａと裏面シート１２の第四の周端１２ｂとの構成に特に限定は無く、例えば、図３に示すように、角部を円弧にしたコの字状の周端でも良いし、角部を円弧にしないコの字状の周端でも良い。
【００３０】
又、蓋シート１３の中央線１３ｂの構成に特に限定は無く、例えば、図３に示すように、蓋シート１３を上下に均等に半分に分割するような中央線でも良いし、蓋シート１３を上下に不均等に半分に分割するような中央線でも良い。
【００３１】
又、表面シート１０の表面と裏面シート１２の表面と蓋シート１３の表面とには、例えば、医療用廃棄物に関する説明文や図面を適宜設けても構わない。
【００３２】
又、第一の着脱部１４と第二の着脱部１５との構成に特に限定は無いが、例えば、相互に着脱する雄雌の面ファスナーや雄雌のホック等を挙げることが出来る。ここで、第一の着脱部１４と第二の着脱部１５との数に特に限定は無いが、例えば、図１〜図３では、第一の着脱部１４と第二の着脱部１５との数は一つずつ設けているが、更に、数を増やしても構わない。
【００３３】
又、指掛穴１６の構成に特に限定は無いが、例えば、図３に示すように、横方向に長い楕円状でも良いし、円形でも四角形でも構わない。
【００３４】
尚、本考案に係る医療用廃棄物収納袋１では、袋体Ｐや蓋部Ｌの強度を向上させるために、適宜、二枚の重なり合うシートを線状に融着した補強線を設けても構わない。補強線の数に特に限定は無く、一本であっても二本以上であっても構わない。更に、本考案の実施形態では、医療用廃棄物収納袋１の構成に、更に、他の機能を追加しても構わない。
【産業上の利用可能性】
【００３５】
以上のように、本考案は、プレフィルドシリンジ製剤、オートインジェクター製剤等の医療用廃棄物を収容する医療用廃棄物収納袋として有用であり、構成が簡単で、且つ、一度入れた医療用廃棄物の飛び出しを確実に防止することが可能な医療用廃棄物収納袋として有効である。
【符号の説明】
【００３６】
１    医療用廃棄物収納袋
１０  表面シート
１１  中シート
１２  裏面シート
１３  蓋シート
１４  第一の着脱部
１５  第二の着脱部
１６  指掛穴
【図１】
0003229069.tif 000003
【図２】
0003229069.tif 000004
【図３】
0003229069.tif 000005
【図４】
0003229069.tif 000006
【図５】
0003229069.tif 000007
【図６】
0003229069.tif 000008
【図７】
0003229069.tif 000009